(57)【要約】【課題】浴室天井パネルを固定する際、ビス止めを無くすことによって、取付時間を短縮化し、作業性に優れるようにするとともに、取付不良をなくし、着脱作業を容易にし、かつ部品点数を最小化する。【解決手段】壁パネル２を相互に連結する柱フレーム３、４の上端部に固定され、天井パネル５の周縁に形成された周縁起立片部７に対面する上部支持部９が設けられた天井フレーム８と、天井フレーム８と天井パネル５とを連結する固定クリップ１０とを備える。固定クリップ１０は、対峙する両壁面の間に、周縁起立片部７及び上部支持部９が下方側から嵌入される狭持部１３と、狭持部１３の上端部に設けられ、少なくとも周縁起立片部７を上側端縁から下方に向けて付勢支持する弾性支持部１４と、天井フレーム８の下端部が上方側から嵌入される下端係合部１５とを備える。【選択図】図６
2020090848.tif 000002
【特許請求の範囲】
【請求項１】
壁パネルを相互に連結する柱フレームの上端部に固定され、天井パネルの周縁に形成された周縁起立片部に対面する上部支持部が設けられた天井フレームと、前記天井フレームと前記天井パネルとを連結する固定クリップとが備えられ、
前記固定クリップは、対峙する両壁面の間に、前記天井パネルの周縁起立片部及び前記天井フレームの上部支持部が下方側から嵌入される狭持部と、前記狭持部の上端部に設けられ、少なくとも前記天井パネルの周縁起立片部を上側端縁から下方に向けて付勢支持する弾性支持部と、前記天井フレームの下端部が上方側から嵌入される下端係合部とが設けられ、
前記狭持部に前記天井パネルの周縁起立片部及び前記天井フレームの上部支持部を挟み込むとともに、前記弾性支持部の付勢力に抗して前記固定クリップを押し下げながら、前記下端係合部に前記天井フレームの下端部を係合することにより、前記天井フレームと前記天井パネルとが連結されていることを特徴とする浴室天井パネルの固定構造。
【請求項２】
前記弾性支持部は、前記狭持部の対峙する両壁面を貫通する開口部内に先端部を臨ませた片持ち梁状の板ばねからなる請求項１記載の浴室天井パネルの固定構造。
【請求項３】
前記固定クリップの上端に、前記天井フレームの下端部と前記下端係合部との係脱の際に、上方から工具を挿入して前記固定クリップの押し下げ操作及び傾倒操作を行う工具挿入部が設けられている請求項１、２いずれかに記載の浴室天井パネルの固定構造。
【発明の詳細な説明】
【技術分野】
【０００１】
本発明は、浴室の天井パネルを柱フレームに固定するための浴室天井パネルの固定構造に関する。
【背景技術】
【０００２】
従来より、ユニットバスＵＢでは、図１に示されるように、全周を囲む外装函体の内側に、壁パネル２、２…などが、各壁面の中間位置では中間部柱フレーム３、３…により、またコーナー部ではコーナー部柱フレーム４、４…により相互に連結されることにより、浴室の四周面を囲む壁面が構成されている。
【０００３】
一方、天井パネルは、例えば下記特許文献１、２に開示される固定構造によって固定されている。下記特許文献１においては、断面略Ｌ字状の接続補助部材をコーナ支柱に対し内側からビス固定した後、天井パネルを前記接続補助部材に対し外側からビス固定する構造が開示されている。更に、下記特許文献２においては、天井パネルの両側の各側縁に、下向きに突出する連結部材が取り付けられ、各連結部材が壁パネルとつなぎ材との間の隙間に上方から嵌入して壁パネルの裏面側に当接した構造が開示されている。
【先行技術文献】
【特許文献】
【０００４】
【特許文献１】特開２００４−８４３７３号公報
【特許文献２】特開２００８−６９５２９号公報
【発明の概要】
【発明が解決しようとする課題】
【０００５】
しかしながら、上記特許文献１、２記載の天井パネルの固定構造はいずれも、天井パネルと取付部材（上記特許文献１記載の接続補助部材または上記特許文献２記載の連結部材及びつなぎ材）とをビス止めする構造であるため、以下の問題点がある。(1)ビス止めには電動工具などが必要で、取り付けに時間がかかる。(2)作業者が浴室天井パネルに備えられた点検口などから手を伸ばして、天井裏の狭い空間内でビス止めをしなければならないため、作業性が悪い。(3)天井裏にビス止め作業のための作業スペースを確保する必要がある。(4)天井パネルや取付部材に下孔加工を施す必要がある。(5)天井パネルや取付部材の厚みが薄いため所定数のネジ山を確保するにはバーリング加工を行う必要がある。(6)この下孔の位置がずれているとビス止めができないため、下孔の加工精度管理が必要となる。(7)バーリング加工によってネジ山を確保しても、天井パネルや取付部材の厚みが元々薄いため、ビスとの噛み合いが少なく、ネジ山が潰れやすく、それに起因した固定不良が起こりやすい。(8)作業者による締め付け力のばらつきが生じやすいとともに、電動工具での締め付けすぎによって、天井パネルや固定部材に歪みが生じるおそれがある。(9)一旦連結すると容易に外す（交換する）ことができない。(10)取付部材やビスなど部品点数が多く、これらを取り付ける作業工数が多くなる。
【０００６】
そこで本発明の主たる課題は、浴室天井パネルを固定する際、ビス止めを無くすことによって、取付時間を短縮化し、作業性に優れるようにするとともに、取付不良をなくし、着脱作業を容易にし、かつ部品点数を最小化した浴室天井パネルの固定構造を提供することにある。
【課題を解決するための手段】
【０００７】
上記課題を解決するために請求項１に係る本発明として、壁パネルを相互に連結する柱フレームの上端部に固定され、天井パネルの周縁に形成された周縁起立片部に対面する上部支持部が設けられた天井フレームと、前記天井フレームと前記天井パネルとを連結する固定クリップとが備えられ、
前記固定クリップは、対峙する両壁面の間に、前記天井パネルの周縁起立片部及び前記天井フレームの上部支持部が下方側から嵌入される狭持部と、前記狭持部の上端部に設けられ、少なくとも前記天井パネルの周縁起立片部を上側端縁から下方に向けて付勢支持する弾性支持部と、前記天井フレームの下端部が上方側から嵌入される下端係合部とが設けられ、
前記狭持部に前記天井パネルの周縁起立片部及び前記天井フレームの上部支持部を挟み込むとともに、前記弾性支持部の付勢力に抗して前記固定クリップを押し下げながら、前記下端係合部に前記天井フレームの下端部を係合することにより、前記天井フレームと前記天井パネルとが連結されていることを特徴とする浴室天井パネルの固定構造が提供される。
【０００８】
上記請求項１記載の発明では、柱フレームの上端部に固定された天井フレームと天井パネルとが固定クリップによって連結された固定構造を備えている。前記固定クリップは、対峙する両壁面の間に、前記天井パネルの周縁起立片部及び前記天井フレームの上部支持部が下方側から挟み込まれる狭持部と、前記狭持部の対峙する両壁面の間の上端部に設けられ、前記天井パネルの周縁起立片部及び前記天井フレームの上部支持部を上側端縁から下方に向けて付勢支持する弾性支持部と、前記天井フレームの下端部が上方側から係合する下端係合部とが設けられている。かかる固定クリップによって天井フレームと天井パネルとを連結するには、前記狭持部に前記天井パネルの起立片部及び前記天井フレームの上部支持部を挟み込むとともに、前記弾性支持部の付勢力に抗して固定クリップを押し下げながら、前記下端係合部に前記天井フレームの下端部を係合することにより行う。このように、天井パネルを前記固定クリップによって固定し、天井裏でのビス止め作業を不要としたため、以下のメリットが生じる。(1)ワンタッチで取り付けでき、取付時間が短縮化できる。(2)壁パネルを取り付ける前に浴室内から天井端に手を伸ばして簡単に取り付けることもできるので、作業性が良い。(3)天井パネルの取付時に、天井裏の作業スペースが必要ない。(4)下孔が不要なため、前加工が必要なく、下孔のズレやネジ山の潰れによる取付不良が生じない。(5)作業者によるばらつきがなく、組立ての品質が良好で、安定する。(6)連結後の取り外しが容易である。(7)部品点数が少なく、これらを取り付ける作業工数も少なくて済む。
【０００９】
請求項２に係る本発明として、前記弾性支持部は、前記狭持部の対峙する両壁面を貫通する開口部内に先端部を臨ませた片持ち梁状の板ばねからなる請求項１記載の浴室天井パネルの固定構造が提供される。
【００１０】
上記請求項２記載の発明では、前記弾性支持部の構造について詳細に規定しており、前記弾性支持部を、前記狭持部の対峙する両壁面を貫通する開口部内に先端部を臨ませた片持ち梁状の板ばねで構成することによって、簡単にかつ安定して、前記天井パネルの周縁起立片部及び天井フレームの上部支持部に下向きの付勢力を付加することができるようになる。
【００１１】
請求項３に係る本発明として、前記固定クリップの上端に、前記天井フレームの下端部と前記下端係合部との係脱の際に、上方から工具を挿入して前記固定クリップの押し下げ操作及び傾倒操作を行う工具挿入部が設けられている請求項１、２いずれかに記載の浴室天井パネルの固定構造が提供される。
【００１２】
上記請求項３記載の発明では、上方から工具を挿入して固定クリップの係脱操作が可能な工具挿入部が設けられているため、簡単に固定クリップの係脱ができるようになる。
【発明の効果】
【００１３】
以上詳説のとおり本発明によれば、浴室天井パネルを固定する際、ビス止めを無くすことによって、取付時間が短縮化でき、作業性に優れるようになるとともに、取付不良が起こりにくく、着脱作業が容易になり、かつ部品点数が最小化できるようになる。
【図面の簡単な説明】
【００１４】
【図１】ユニットバスＵＢの平面図である。
【図２】壁面部分の縦断面図である。
【図３】固定クリップ１０の取付部分の拡大縦断面図である。
【図４】固定クリップ１０を示す、(A)は前面側の斜視図、(B)は背面側の斜視図である。
【図５】固定クリップ１０を示す、(A)は正面図、(B)は側面図、(C)は上面図、(D)は(A)のD-D線矢視図である。
【図６】天井パネル５の取付方法を示す断面図である。
【図７】固定クリップ１０の取外し方法を示す断面図である。
【発明を実施するための形態】
【００１５】
以下、本発明の実施の形態について図面を参照しながら詳述する。
【００１６】
ユニットバスＵＢは、図１及び図２に示されるように、洗い場パン１及び図示しない浴槽の周囲を囲む壁パネル２、２…が、各壁面の中間位置では中間部柱フレーム３、３…により、またコーナー部ではコーナー部柱フレーム４、４…により相互に連結されることによって、四周面を囲む壁面が構成されるとともに、これらの壁パネル２、２…で包囲された上方の開口部が天井パネル５によって覆われて構成されるものである。
【００１７】
前記壁パネル２は、鋼板または硬質プラスチックなどからなる表面板２ａの裏側に石膏ボード２ｂなどを裏打ちしたパネルであり、表面板２ａの側縁は、石膏ボード２ｂの側端よりもさらに外方に突出し、その先端部が裏打ちした石膏ボード２ｂ側に向けてＬ字状に屈曲されている。
【００１８】
前記中間部柱フレーム３、３…及びコーナー部柱フレーム４、４…は、薄板を用いて断面略溝型形状に成形加工された長手通しの部材であり、図２に示されるように、柱フレーム固定金具６によって下端部が洗い場パン１等に固定されている。
【００１９】
前記天井パネル５は、前記壁パネル２と同様に、鋼板または硬質プラスチックなどからなる表面板５ａの裏側に石膏ボード５ｂなどを裏打ちしたパネルであり、表面板５ａの周縁は、石膏ボード５ｂの周縁よりもさらに外方に突出し、その先端部が上方（裏側）に向けて略９０°のＬ字状に屈曲され、この屈曲部によって周縁起立片部７が形成されている（図６(A)参照）。
【００２０】
前記中間部柱フレーム３、３…及びコーナー部柱フレーム４、４…の上端部には、これらを相互に連結する天井フレーム８が横架している。前記天井フレーム８は、上下方向の中間にクランク部が形成された断面形状からなる薄板部材であり、このクランク部より下方側が前記柱フレーム３…、４…にビス等で固定されており、天井パネル５の全周に亘って配置されている。前記天井フレーム８は、中間に設けられたクランク部のうち水平方向に延びる部分が、上側に天井パネル５の周縁部を載置する載置部８ａを構成するとともに、この載置部８ａの外縁から起立する部分が、天井パネル５の周縁起立片部７に対面する上部支持部９を構成し、かつ前記載置部８ａの内縁から垂下する部分が、柱フレーム３、４に対する固定部と後述する固定クリップ１０の下端係合部１５に対する係合部とを兼用する下部支持部８ｂを構成している。前記天井フレーム８は、図３に示されるように、前記柱フレーム３、４の配置部分において、柱フレーム３、４の内側面及び上端面に沿って略９０°に屈折して形成されるとともに、柱フレーム３、４の背側面位置で上方に向けて起立するように略９０°に屈折して形成されている。
【００２１】
本発明に係る固定構造では、図３に示されるように、前記天井フレーム８と天井パネル５とが固定クリップ１０によって連結されている。前記固定クリップ１０は、図４及び図５に示されるように、対峙する両壁面１１、１２の間に、天井パネル５の周縁起立片部７及び天井フレーム８の上部支持部９が下方側から嵌入される狭持部１３と、この狭持部１３の対峙する両壁面１１、１２の間の上端部に設けられ、少なくとも前記天井パネル５の周縁起立片部７を上側端縁から下方に向けて付勢支持する弾性支持部１４と、前記天井フレーム８の下端部が上方側から嵌入される下端係合部１５とが設けられている。
【００２２】
前記固定クリップ１０は、図３に示されるように、前記狭持部１３に前記天井パネル５の周縁起立片部７及び天井フレーム８の上部支持部９を挟み込むとともに、前記弾性支持部１４の付勢力に抗して固定クリップ１０を押し下げながら、前記下端係合部１５に天井フレーム８の前記下部支持部８ｂの下端部を係合することにより、前記天井フレーム８と天井パネル５とを連結している。
【００２３】
このように、本発明に係る固定構造では、天井パネル５が前記固定クリップ１０によって簡単に固定できるため、従来のビス止めによる固定構造と比較すると以下のメリットがある。
(1)従来のビス止め作業では、電動工具が必要で取り付けに時間がかかっていたのに対し、本固定構造では、ワンタッチで取り付けできるため、取付時間の短縮化が図れる。
(2)従来のビス止め作業では、天井点検口から手を伸ばして天井裏でビス止めを行う必要があるため作業性が悪かったが、本固定構造では、壁パネル２を取り付ける前に、浴室内から天井端に手を伸ばして簡単に取り付けることもできるので、作業性が良い。
(3)従来のビス止め作業では、ビス止め時に天井裏の作業スペースを確保しなければならなかったが、本固定構造では、上記(2)のように浴室内から取り付けできるため、天井裏の作業スペースを確保する必要がない。
(4)従来のビス止め作業では、各部材にビス止め用の下孔加工を施す必要があったが、本固定構造では、下孔が不要なため、部材への前加工が必要ない。
(5)従来のビス止め作業では、下孔を開ける前にバーリング加工が必要であったが、本固定構造では、下孔が不要なため、部材への前加工が必要ない。
(6)従来のビス止め作業では、各部材間でビス止め用の下孔が位置ズレしていると取付けができなかったが、本固定構造では、下孔が不要なため、下孔の位置ズレによる取付不良が生じない。
(7)従来のビス止め作業では、各部材の厚みが薄いため、ネジ山が潰れやすく、取付不良が生じやすかったが、本固定構造では、下孔が不要なため、ネジ山の潰れによる取付不良が生じない。
(8)従来のビス止め作業では、作業者による締め付け力のばらつきがあるとともに、電動工具での締め付けすぎによって、天井パネルや固定部材に歪みが生じるおそれがあったが、本固定構造では、作業者によるばらつきがなく、組立ての品質が良好で、安定する。
(9)従来のビス止め作業では、一旦連結すると容易に外す（交換する）ことができなかったが、本固定構造では、連結後の取り外しも容易である。
(10)従来のビス止め作業では、連結部材やビスなど、部品点数が多く（上記特許文献１記載の構造では、接続補助部材１点、ビス２点、上記特許文献２記載の構造では、連結部材及びつなぎ材の２点、ビス１点）、これらを取り付ける作業工数が多くなっていたが、本固定構造では、部品点数が少なく（天井フレーム１点、固定クリップ１点）、これらを取り付ける作業工数が少なくて済む。
【００２４】
前記固定クリップ１０について更に詳しく説明すると、前記固定クリップ１０は、樹脂により製造された型成形品であり、前面側及び背面側に所定の間隔を空けて対峙する両壁面１１、１２が上端部で懸架されることにより、これら両壁面１１、１２の間隙部によって前記狭持部１３が形成されるとともに、背面側の壁面１２が前面側の壁面１１より相対的に下方側に延在し、且つその先端が前面側に屈曲して形成され、この屈曲部１２ａの先端に前記下端係合部１５が設けられた外形を成している。
【００２５】
前記狭持部１３の間隙幅（両壁面１１、１２の離隔幅）は、前記天井フレーム８の上部支持部９及び天井パネル５の周縁起立片部７を重ね合わせた状態で挿入可能な寸法で形成されている。前記狭持部１３は、両壁面１１、１２の全幅に亘って設けられ、固定クリップ１０の両側面を貫くように形成されている。
【００２６】
前記狭持部１３の上端（両壁面１１、１２の上端の懸架部）には、図５(B)に示される側面視で、狭持部１３の間隙幅より大きな直径の円形拡幅部１６が形成されている。前記狭持部１３の上端に前記円形拡幅部１６が形成されることにより、固定クリップ１０の着脱時に、両壁面１１、１２が上端の懸架部を基点として離隔幅が拡大するように変形でき、着脱作業をよりスムーズに行うことができるようになる。
【００２７】
前記背面側の壁面１２は、図３に示されるように、天井フレーム８と天井パネル５との連結状態で、天井パネル５の下面より下側に延在しており、この下側に延在した部分の下端に、内側に屈曲する前記屈曲部１２ａが形成されている。この屈曲部１２ａの内側への延在長さは、図３に示される断面視で、天井フレーム８の載置部８ａの幅とほぼ同等の寸法で形成されており、前記屈曲部１２ａの先端に設けられた下端係合部１５に天井フレーム８の下端が係合した状態で、前記狭持部１３が直立する方向に延びるように形成されている。
【００２８】
前記狭持部１３の上端部に設けられる弾性支持部１４は、前記狭持部１３に挟み込まれた天井パネル５の周縁起立片部７及び天井フレーム８の上部支持部９のうち、少なくとも天井パネル５の周縁起立片部７の上端に当接し、この周縁起立片部７の上端を下方に向けて押圧する付勢力を作用させている。図３に示される例では、周縁起立片部７の上端が上部支持部９の上端より上方に延在することにより、弾性支持部１４が周縁起立片部７の上端のみに当接しているが、周縁起立片部７及び上部支持部９の上端をほぼ同等の高さに位置することにより、弾性支持部１４がこれら周縁起立片部７及び上部支持部９の両方の上端に当接するようにしてもよい。
【００２９】
前記弾性支持部１４としては、前述の通り少なくとも周縁起立片部７の上端に当接し、この周縁起立片部７の上端を下方に向けて押圧する付勢力を作用させるものであれば特に限定されないが、図４及び図５に示されるように、前記狭持部１３の対峙する両壁面１１、１２を貫通する開口部１７、１８内に先端部が臨むように延びる片持ち梁状の板ばねによって構成するのが好ましい。この板ばね（弾性支持部１４）は、前面側の壁面１１の上端部又は背面側の壁面１２の上端部から、図示例では前面側の壁面１１の上端部から、下方に向けて延びるとともに、その下端が前記開口部１７又は１８を通って前記狭持部１３に向けて屈曲し、前記狭持部１３の上端部を跨いで、先端が反対側の開口部１８又は１７に臨んだ板状の部材である。この弾性支持部１４の前記狭持部１３を跨ぐ部分が、前記狭持部１３に嵌入された周縁起立片部７及び上部支持部９のうち、少なくとも前記周縁起立片部７の上端に当接し、嵌入時の押圧力によって前記板ばねが上方に曲げ変形することによって、前記板ばねの復元力に伴う下方への付勢力が発現するようになっている。
【００３０】
前記天井パネル５の取付けは、洗い場パン１及び浴槽の周囲に所定の間隔で中間部柱フレーム３、３…及びコーナー部柱フレーム４、４…を立設し、これら中間部柱フレーム３、３…及びコーナー部柱フレーム４、４…の上端部を天井フレーム８によって相互に連結した後、図６(A)に示されるように、天井パネル５を持ち込み、天井パネル５の周縁起立片部７を天井フレーム８の上部支持部９に対面させるとともに、天井パネル５の周縁部を天井フレーム８の載置部８ａに載置した状態で、前記固定クリップ１０によって天井パネル５を天井フレーム８に固定する。前記固定クリップ１０の取付けは、図６(B)に示されるように、天井パネル５の周縁起立片部７及び天井フレーム８の上部支持部９を前記狭持部１３の下方側から嵌入した状態で、手で固定クリップ１０を徐々に押し下げることにより、前記周縁起立片部７及び上部支持部９のうち少なくとも周縁起立片部７の上端を弾性支持部１４に当接させるとともに、この弾性支持部１４の付勢力に抗して更に手で固定クリップ１０を押し下げ、下端係合部１５に天井フレーム８の下部支持部８ｂの下端部を係合させる。ここで、前記狭持部１３に天井パネル５の周縁起立片部７及び天井フレーム８の上部支持部９を嵌入する際、図６(B)に示されるように、背面側の壁面１２の下端に前面側に屈曲した屈曲部１２ａが設けられているため、狭持部１３に嵌入する前の狭持部１３が周縁起立片部７及び上部支持部９の上下方向に対して傾斜しているが、前述の通り、前記狭持部１３の上端に円形拡幅部１６が形成され、前記狭持部１３を構成する両壁面１１、１２の間隙が拡大可能に形成されているため、これら両壁面１１、１２が変形することによって、狭持部１３に周縁起立片部７及び上部支持部９がスムーズに嵌入できるようになっている。
【００３１】
一方、前記固定クリップ１０の取外しに際しては、取付けのときと同様に手で行ってもよいが、図７に示されるように、プラスドライバー等の工具を用いて行うのが好ましい。工具を用いた操作用の係合部として、前記固定クリップ１０の上端に、前記天井フレーム８の下端部と前記下端係合部１５との脱着の際に、上方から工具を挿入して前記固定クリップ１０の押し下げ操作及び傾倒操作が可能な工具挿入部２０を設けるのが好ましい。
【００３２】
前記工具挿入部２０は、固定クリップ１０の上面の中央部に設けられた少なくとも上方に開口する有底の凹部であり、プラスドライバー等のように先端が先細形状からなる棒状の工具２１が挿入できるように構成されている。前記工具挿入部２０の側壁は、全周に亘って設けてもよいが、図４及び図５に示されるように、工具を挿入して固定クリップ１０を押し下げる操作、並びに押し下げた状態で固定クリップ１０の下端部を背面側に傾倒させる操作を行うのに必要な部位にのみ設けるのが好ましい。
【００３３】
具体的には、図５(D)に示されるように、工具挿入部２０の上下方向に対して、下方側には、背面側の略半周部に下側側壁部２０ａが設けられ、前面側の略半周部が開口するとともに、上方側には、前面側の略半周部に上側側壁部２０ｂが設けられ、背面側の略半周部が開口している。前記下側側壁部２０ａは、プラスドライバーの先細形状の先端が嵌合しやすいように、内面に傾斜面を形成するのが好ましい。
【００３４】
図７(B)に示されるように、工具挿入部２０に工具２１を挿入して弾性支持部１４の付勢力に抗して下方に押圧することにより、下端係合部１５を天井フレーム８の下部支持部８ｂの下端部より下方に移動させるとともに、この状態で工具２１の手持ち部を前面側に傾けることにより、下側側壁部２０ａに当接した工具２１の先端を起点として、上側側壁部２０ｂが工具２１によって前面側に押され、このモーメント力によって固定クリップ１０が傾倒し、下端係合部１５が天井フレーム８の下端部に係合するのが完全に解除される。このとき、前述の通り、前記狭持部１３を構成する両壁面１１、１２の間隙が拡大可能に形成されているため、これら両壁面１１、１２が変形することによって、前記工具２１を傾けたときに固定クリップ１０がスムーズに傾倒できるようになっている。
【００３５】
なお、前記工具２１を工具挿入部２０に挿入して行う操作は、固定クリップ１０の取付時にも同様にして行うことができる。
【００３６】
前記固定クリップ１０は、隣り合う中間部柱フレーム３とコーナー部柱フレーム４との間の任意の位置に１箇所又は所定の間隔をあけた複数箇所に設けるのが好ましい。
【００３７】
前記天井パネル５の固定が完了したら、壁パネル２を設置し、各パネルの接合部に目地材を取り付ける。
【符号の説明】
【００３８】
１…洗い場パン、２…壁パネル、３…中間部柱フレーム、４…コーナー部柱フレーム、５…天井パネル、６…柱フレーム固定金具、７…周縁起立片部、８…天井フレーム、９…上部支持部、１０…固定クリップ、１１…前面側の壁面、１２…背面側の壁面、１３…狭持部、１４…弾性支持部、１５…下端係合部、１６…円形拡幅部、１７…前面側の開口部、１８…背面側の開口部、２０…工具挿入部、２１…工具、ＵＢ…ユニットバス
【図１】
2020090848.tif 000003
【図２】
2020090848.tif 000004
【図３】
2020090848.tif 000005
【図４】
2020090848.tif 000006
【図５】
2020090848.tif 000007
【図６】
2020090848.tif 000008
【図７】
2020090848.tif 000009